(57)【要約】【課題】本発明は、送気管路の無い内視鏡と送気ポンプ付き光源装置とを組み合わせて用いる際に、光源装置の送気ポンプを利用できるようにして、ユーザーに対してリプロセス時の負担、費用的な負担を軽減させ、尚且つ、外部チューブの操作性を阻害せずに送気確保の確実性を向上することができる内視鏡用アダプタと内視鏡システムを提供する。【解決手段】ポンプ付き光源装置３の内視鏡コネクタ接続用の凹部１９に挿入されるアダプタ本体２２と、アダプタ本体２２に設けられ、ポンプ付き光源装置３にアダプタ本体２２が接続された際に、光源用ソケット２１を露出させる開口部２３と、アダプタ本体２２の光源装置３との対向面に配置され、前記送気ポンプ用ソケット２０に接続するためのポンプ接続部２４と、このポンプ接続部２４と連通し、前記アダプタ本体２２の前記ポンプ接続部２４とは反対側に延出され、前記内視鏡２のコネクタ部１０の中心軸Ｏとのなす角度が９０度未満に設定されている送気口金３０とを備える。【選択図】図８
2011024682.tif 000002
【特許請求の範囲】
【請求項１】
内視鏡コネクタ接続用の凹部を有し、前記凹部の内部に送気ポンプ用ソケットおよび光源用ソケットが配置された光源装置と、内視鏡のコネクタ部との間に介在される内視鏡用アダプタであって、
前記凹部に挿入されるアダプタ本体と、
前記アダプタ本体に設けられ、前記光源装置に前記アダプタ本体が接続された際に、前記光源用ソケットを露出させる開口部と、
前記アダプタ本体の前記光源装置との対向面に配置され、前記送気ポンプ用ソケットに接続するためのポンプ接続部と、
前記ポンプ接続部と連通し、前記アダプタ本体の前記ポンプ接続部とは反対側に延出され、前記内視鏡のコネクタ部の中心軸とのなす角度が９０度未満に設定されている送気口金と、
を備えることを特徴とする内視鏡用アダプタ。
【請求項２】
前記送気口金は、前記光源装置と前記アダプタ本体とが接続された際に、水平方向と下向き方向との間の傾斜方向の角度に設定されていることを特徴とする請求項１に記載の内視鏡用アダプタ。
【請求項３】
前記アダプタ本体は、前記内視鏡のコネクタ部を前記光源用ソケットに差し込んだ時に、前記内視鏡のコネクタ部の下方に沿って突出する着脱操作用の突出部を備えることを特徴とする請求項１に記載の内視鏡用アダプタ。
【請求項４】
前記アダプタ本体は、前記光源装置との接続部に、Ｃ字状のリングの外周の切欠部に前記開口部が配置された光源装置接続部を備えることを特徴とする請求項１に記載の内視鏡用アダプタ。
【請求項５】
内視鏡コネクタ接続用の凹部を有し、前記凹部の内部に送気ポンプ用ソケットおよび光源用ソケットが配置された光源装置と、
前記内視鏡コネクタ接続用の凹部に着脱可能に連結されるライドガイド接続用のコネクタ部を有する内視鏡と、
前記光源装置と、前記内視鏡の前記コネクタ部との間に介在され、前記凹部に挿入される内視鏡用アダプタのアダプタ本体と、
前記アダプタ本体に設けられ、前記光源装置に前記アダプタ本体が接続された際に、前記光源用ソケットを露出させる開口部と、
前記アダプタ本体の前記光源装置との対向面に配置され、前記送気ポンプ用ソケットに接続するためのポンプ接続部と、
前記ポンプ接続部と連通し、前記アダプタ本体の前記ポンプ接続部とは反対側に延出され、前記内視鏡のコネクタ部の中心軸とのなす角度が９０度未満に設定されている送気口金と、
一端が前記アダプタ本体の前記送気口金に接続され、他端が前記内視鏡の内部に配設された管路と接続される外付けの送気チューブと、
を具備することを特徴とする内視鏡システム。
【請求項６】
前記光源装置は、前記送気ポンプ用ソケットに接続される送気ポンプが内蔵され、
前記内視鏡は、挿入部の内部に配設された処置具挿通チャンネルと、前記挿入部の基端部に連結された操作部に設けられ、前記処置具挿通チャンネルと連結された口金部とを有し、
前記送気チューブは、前記口金部に接続されていることを特徴とする請求項５に記載の内視鏡システム。
【発明の詳細な説明】
【技術分野】
【０００１】
本発明は、光源装置に着脱可能な内視鏡用アダプタと内視鏡システムに関する。
【背景技術】
【０００２】
一般に、消化器内視鏡等の製品では、ライトガイドのコネクタ部や、ユニバーサルコード部に送気管路が内蔵されている。そして、ライトガイドのコネクタ部をポンプ付き光源装置に接続することで、光源装置内の送気ポンプから吐出されたエアーがライトガイドのコネクタ部や、ユニバーサルコード部の送気管路を経て内視鏡の挿入部内の送気管路に供給される。これにより、内視鏡の挿入部の先端より送気が可能なシステムとなっている。
【０００３】
特許文献１には、内視鏡のコネクタ部と光源装置とをつなぐアダプタが開示されている。ここでは、アダプタ内に複雑な分岐回路を形成している。これにより、内視鏡の洗浄時には、コネクタ本体からアダプタを取り外すことにより、コネクタ本体の内部構成を簡略化してコネクタ本体内の連通孔の洗浄性を高める構成になっている。
【先行技術文献】
【特許文献】
【０００４】
【特許文献１】特開平６−１１６５４号公報
【発明の概要】
【発明が解決しようとする課題】
【０００５】
しかしながら、内視鏡に送気管路が内蔵されている場合には、内視鏡の使用後に、内視鏡に内蔵されている送気管路の洗浄消毒などのリプロセスが症例毎に必要になるので、ユーザーに対してリプロセス時の負担が大きい。そのため、送気をほとんど使用しない外科用内視鏡では、ライトガイドのコネクタ部や、ユニバーサルコード部に送気管路を内蔵しない構成にすることにより、リプロセス時の負荷を軽減させている。この場合でもポンプ付き光源装置が使用可能である。
【０００６】
また、送気管路が内蔵されていない内視鏡を使用する場合でも、一部の外科用内視鏡では送気が必要となる。この場合は、送気管路が内蔵されていない内視鏡の処置具挿通チャンネルを送気路として使用することが行われる。そして、ポンプ付き光源装置とは別体の送気ポンプと外付けの送気チューブによって処置具挿通チャンネルに送気を行うことにより、内視鏡先端より送気が可能なシステムを構成している。
【０００７】
しかしながら、この場合は、ポンプ付き光源装置を所持しているユーザーにもポンプ付き光源装置とは別体の送気ポンプを準備する必要があるので、ユーザーには費用的な負担が生じることになる。
【０００８】
また、特許文献１のアダプタは、送気管路を有する内視鏡を対象とし、内視鏡の内部構成を簡略化することを目的としたアダプタである。そのため、特許文献１に開示されているアダプタは、従来の送気管路付内視鏡のコネクタ部分をそのまま切り取ったような形状をしている。すなわち、特許文献１に開示されているアダプタは、送気ポンプのソケットとの接続部以外に、ライトガイドとの接続部まで有している。そのため、アダプタの構成が複雑になり、コスト高になる。
【０００９】
また、特許文献１のアダプタに接続されて機能する内視鏡は、送気管路付内視鏡のコネクタ部分が切り落とされたような形状をしているタイプの機種である。そのため、一般的に用いられている送気管路の無い外科用内視鏡は、特許文献１のアダプタに接続できない。
【００１０】
また、特許文献１のアダプタには、ポンプ付き光源装置の送気ポンプソケットに接続される送気口金が設けられている。この送気口金の向きは、コネクタの軸に対して垂直方向に突設されている。この場合、アダプタの送気口金に接続された外部チューブを踏んだときに送気口金から外部チューブが抜け易く、外部チューブの操作性を阻害し易い。そのため、送気確保の確実性が低くなる可能性がある。
【００１１】
本発明は上記事情に着目してなされたもので、その目的は、送気管路の無い内視鏡と送気ポンプ付き光源装置とを組み合わせて用いる際に、光源装置の送気ポンプを利用できるようにして、ユーザーに対してリプロセス時の負担、費用的な負担を軽減させ、尚且つ、外部チューブの操作性を阻害せずに送気確保の確実性を向上することができる内視鏡用アダプタと内視鏡システムを提供することにある。
【課題を解決するための手段】
【００１２】
請求項１の発明は、内視鏡コネクタ接続用の凹部を有し、前記凹部の内部に送気ポンプ用ソケットおよび光源用ソケットが配置された光源装置と、内視鏡のコネクタ部との間に介在される内視鏡用アダプタであって、前記凹部に挿入されるアダプタ本体と、前記アダプタ本体に設けられ、前記光源装置に前記アダプタ本体が接続された際に、前記光源用ソケットを露出させる開口部と、前記アダプタ本体の前記光源装置との対向面に配置され、前記送気ポンプ用ソケットに接続するためのポンプ接続部と、前記ポンプ接続部と連通し、前記アダプタ本体の前記ポンプ接続部とは反対側に延出され、前記内視鏡のコネクタ部の中心軸とのなす角度が９０度未満に設定されている送気口金と、を備えることを特徴とする内視鏡用アダプタである。  
そして、本請求項１の発明では、光源装置の内視鏡コネクタ接続用の凹部にアダプタ本体を挿入する際に、アダプタ本体のポンプ接続部が光源装置の送気ポンプ用ソケットに接続される。この状態で、アダプタ本体の開口部から露出された光源装置の光源用ソケットに内視鏡のコネクタ部が接続される。これにより、光源装置の内視鏡コネクタ接続用の凹部にアダプタ本体が接続された状態でも、アダプタ本体が接続されていない状態と同じように光源装置の光源用ソケットと内視鏡のコネクタ部とを直接接続できる。さらに、アダプタ本体の送気口金は、内視鏡のコネクタ部の中心軸とのなす角度が９０度未満に設定されていることにより、アダプタ本体の送気口金に外部チューブが接続された際に、アダプタ本体の送気口金に接続される外部チューブが邪魔になりにくく、操作中、アダプタ本体の送気口金から外部チューブが外れにくいようにしたものである。
【００１３】
請求項２の発明は、前記送気口金は、前記光源装置と前記アダプタ本体とが接続された際に、水平方向と下向き方向との間の傾斜方向の角度に設定されていることを特徴とする請求項１に記載の内視鏡用アダプタである。  
そして、本請求項２の発明では、光源装置とアダプタ本体とが接続された際に、送気口金は、水平方向と下向き方向との間の傾斜方向の角度に設定されていることにより、接続状態で保管されても送気口金に異物が混入するリスクを小さくするものである。
【００１４】
請求項３の発明は、前記アダプタ本体は、前記内視鏡のコネクタ部を前記光源用ソケットに差し込んだ時に、前記内視鏡のコネクタ部の下方に沿って突出する着脱操作用の突出部を備えることを特徴とする請求項１に記載の内視鏡用アダプタである。  
そして、本請求項３の発明では、アダプタ本体の突出部を把持した状態で、アダプタ本体の着脱操作を行うことにより、アダプタ本体の着脱操作を行いやすくしたものである。
【００１５】
請求項４の発明は、前記アダプタ本体は、前記光源装置との接続部に、Ｃ字状のリングの外周の切欠部に前記開口部が配置された光源装置接続部を備えることを特徴とする請求項１に記載の内視鏡用アダプタである。  
そして、本請求項４の発明では、アダプタ本体と光源装置との光源装置接続部のＣ字状のリングの外周の切欠部を通して光源装置の光源用ソケットと内視鏡のコネクタ部とを直接接続できるようにしたものである。
【００１６】
請求項５の発明は、内視鏡コネクタ接続用の凹部を有し、前記凹部の内部に送気ポンプ用ソケットおよび光源用ソケットが配置された光源装置と、前記内視鏡コネクタ接続用の凹部に着脱可能に連結されるライドガイド接続用のコネクタ部を有する内視鏡と、前記光源装置と、前記内視鏡の前記コネクタ部との間に介在され、前記凹部に挿入される内視鏡用アダプタのアダプタ本体と、前記アダプタ本体に設けられ、前記光源装置に前記アダプタ本体が接続された際に、前記光源用ソケットを露出させる開口部と、前記アダプタ本体の前記光源装置との対向面に配置され、前記送気ポンプ用ソケットに接続するためのポンプ接続部と、前記ポンプ接続部と連通し、前記アダプタ本体の前記ポンプ接続部とは反対側に延出され、前記内視鏡のコネクタ部の中心軸とのなす角度が９０度未満に設定されている送気口金と、一端が前記アダプタ本体の前記送気口金に接続され、他端が前記内視鏡の内部に配設された管路と接続される外付けの送気チューブと、を具備することを特徴とする内視鏡システムである。  
そして、本請求項５の発明では、光源装置の内視鏡コネクタ接続用の凹部にアダプタ本体を挿入する際に、アダプタ本体のポンプ接続部が光源装置の送気ポンプ用ソケットに接続される。この状態で、アダプタ本体の開口部に挿入された内視鏡のコネクタ部が光源装置の光源用ソケットに接続される。これにより、光源装置の内視鏡コネクタ接続用の凹部にアダプタ本体が接続された状態でも、アダプタ本体が接続されていない状態と同じように光源装置の光源用ソケットと内視鏡のコネクタ部とを直接接続できる。さらに、アダプタ本体の送気口金に外付けの送気チューブの一端が接続され、外付けの送気チューブの他端が内視鏡の内部に配設された管路と接続される。これにより、光源装置の送気ポンプ用ソケットからの送気がアダプタ本体の送気口金から外付けの送気チューブを経て内視鏡の内部管路に供給される。このとき、アダプタ本体の送気口金は、内視鏡のコネクタ部の中心軸とのなす角度が９０度未満に設定されていることにより、アダプタ本体の送気口金に外部チューブが接続された際に、アダプタ本体の送気口金に接続される外部チューブが邪魔になりにくく、操作中、アダプタ本体の送気口金から外部チューブが外れにくいようにしたものである。
【００１７】
請求項６の発明は、前記光源装置は、前記送気ポンプ用ソケットに接続される送気ポンプが内蔵され、前記内視鏡は、挿入部の内部に配設された処置具挿通チャンネルと、前記挿入部の基端部に連結された操作部に設けられ、前記処置具挿通チャンネルと連結された口金部とを有し、前記送気チューブは、前記口金部に接続されていることを特徴とする請求項５に記載の内視鏡システムである。  
そして、本請求項６の発明では、光源装置に内蔵されている送気ポンプが送気ポンプ用ソケットに接続され、アダプタ本体の送気口金に接続される外部チューブが内視鏡の挿入部の内部の処置具挿通チャンネル連結された操作部の口金部に接続されることにより、光源装置の送気ポンプ用ソケットからの送気がアダプタ本体の送気口金から外付けの送気チューブを経て内視鏡の内部管路に供給されるようにしたものである。
【発明の効果】
【００１８】
本発明によれば、送気管路の無い内視鏡と送気ポンプ付き光源装置とを組み合わせて用いる際に、光源装置の送気ポンプを利用できるようにして、ユーザーに対してリプロセス時の負担、費用的な負担を軽減させ、尚且つ、外部チューブの操作性を阻害せずに送気確保の確実性を向上することができる内視鏡用アダプタと内視鏡システムを提供することができる。
【図面の簡単な説明】
【００１９】
【図１】本発明の第１の実施の形態の内視鏡用アダプタが使用される内視鏡システム全体を示す概略構成図。
【図２】第１の実施の形態の内視鏡用アダプタの外観を示す斜視図。
【図３】第１の実施の形態の内視鏡用アダプタの正面図。
【図４】第１の実施の形態の内視鏡用アダプタの側面図。
【図５】図３のＶ−Ｖ線断面図。
【図６】（Ａ）は図４のＶＩ−ＶＩ線断面図、（Ｂ）はＣリングの変形状態を示す横断面図。
【図７】第１の実施の形態の内視鏡用アダプタの本体と口金部との連結部分を示す縦断面図。
【図８】第１の実施の形態の内視鏡用アダプタの使用状態を示す縦断面図。
【図９】第１の実施の形態の内視鏡用アダプタと内視鏡のコネクタ部をポンプ付き光源装置に接続する状態を説明するための説明図。
【図１０】第１の実施の形態の内視鏡用アダプタをポンプ付き光源装置に接続した状態を示す縦断面図。
【図１１】第１の実施の形態の内視鏡用アダプタのポンプ接続部の口金部の変形例を示す縦断面図。
【図１２】第１の実施の形態の内視鏡システムで使用される内視鏡用アダプタを光源装置に接続するクサリの取り付け状態を示す斜視図。
【図１３】第１の実施の形態の内視鏡システムで使用されるチューブ固定バンドを示す斜視図。
【図１４】第１の実施の形態の内視鏡システムで使用されるチューブ固定バンドの使用状態を示す斜視図。
【発明を実施するための形態】
【００２０】
以下、本発明の第１の実施の形態を図１乃至図１４を参照して説明する。図１は、本実施の形態の内視鏡用アダプタ１を使用する内視鏡システム全体の概略構成を示す。本実施の形態の内視鏡システムは、送気管路が内蔵されていない内視鏡（以下、送気管路なし内視鏡と称する）２と、ポンプ付き光源装置３と、ビデオシステムセンター４と、吸引ポンプ５と、外付けの送気チューブ（外部チューブ）６とを有する。
【００２１】
送気管路なし内視鏡２は、細長い挿入部７と、この挿入部７の基端部に設けられた手元側の操作部８と、この操作部８に基端部が連結されたユニバーサルコード９とを有する。このユニバーサルコード９の先端部にはコネクタ部１０が設けられている。コネクタ部１０は、内視鏡用の光源装置３に着脱自在に接続される。コネクタ部１０の側面には、ビデオケーブル１１の一端が接続されている。ビデオケーブル１１の他端の図示しない電気コネクタは、ビデオシステムセンター４に着脱自在に接続されている。そして、ユニバーサルコード９のコネクタ部１０は内視鏡用の光源装置３の後述する光源用ソケット２１に対して着脱自在に接続されている。
【００２２】
挿入部７の先端面には、図示しない観察窓、照明窓および処置具挿通チャンネル１２の開口部などが設けられている。さらに、観察窓には、対物レンズなどの光学系が対向配置され、これらの光学系の結像位置にＣＣＤなどの撮像素子が配設されている。この撮像素子の出力信号線は、挿入部７の内部から操作部８と、ユニバーサルコード９とを介してコネクタ部１０、ビデオケーブル１１を経てビデオシステムセンター４に接続されている。ビデオシステムセンター４には、図示しないモニタが接続されている。そして、内視鏡２の観察像は、撮像素子で電気信号に変換され、出力信号線を介してビデオシステムセンター４に入力され、ビデオシステムセンター４で信号処理された後、モニタの画面に表示されるようになっている。
【００２３】
また、照明窓には図示しない照明レンズを介してライトガイドファイバの一端が対向配置されている。このライトガイドファイバは、挿入部７、操作部８およびユニバーサルコード９の各内部にわたって配置され、その他端はユニバーサルコード９の末端のコネクタ部１０まで延出されている。
【００２４】
さらに、光源装置３には、図示しない光源ランプおよびこの光源ランプから出力される照明光を集束する集光レンズが設けられている。そして、この光源装置３からライトガイドファイバの入射端面に照明光を入射させるようになっている。
【００２５】
送気管路なし内視鏡２の挿入部７の内部には、上記撮像素子の出力信号線と、ライトガイドファイバと、処置具挿通チャンネル１２と、湾曲操作ワイヤなどが主に配設されている。
【００２６】
操作部８には、鉗子口１３と、湾曲操作レバー１４と、例えば特開２００９−１８０５３号公報に開示されている流体制御装置（口金部）１５などが配設されている。処置具挿通チャンネル１２は、鉗子口１３の近傍で２つの分岐管路１２ａ、１２ｂに分岐されている。そして、一方の分岐管路１２ａは、鉗子口１３に連結されている。他方の分岐管路１２ｂは、流体制御装置１５に連結されている。流体制御装置１５には、吸引チューブ１６の一端と、前記外付けの送気チューブ６の一端とが連結されている。吸引チューブ１６の他端は、吸引ポンプ５に連結されている。外付けの送気チューブ６の他端は、内視鏡用アダプタ１に連結されている。そして、流体制御装置１５は、処置具挿通チャンネル１２を通しての吸引、送気を切換え制御する。
【００２７】
ユニバーサルコード９のコネクタ部１０は、図９に示すように略円筒状に形成されたコネクタ本体１０ａを有する。このコネクタ本体１０ａの先端部には、ライトガイドファイバのガイド管（口金筒）１７が前方に向けて突設されている。
【００２８】
図９、１０に示すようにポンプ付き光源装置３は、正面パネル１８に内視鏡コネクタ接続用の凹部１９を有する。この凹部１９の内部には、送気ポンプ用ソケット２０と、前記光源用ソケット２１とが配置されている。この光源用ソケット２１には、本実施の形態のように送気管路なし内視鏡２のコネクタ本体１０ａのライトガイドファイバのガイド管１７が挿入される状態で、着脱可能に接続される。
【００２９】
なお、この光源用ソケット２１には、本実施の形態のように送気管路なし内視鏡２とは異なる機種、例えば送気管路が内蔵されている内視鏡（送気管路あり内視鏡）のコネクタ部も接続可能である。送気管路あり内視鏡のコネクタ部には、ライトガイドファイバのガイド管とともに図示しない送気用の送気受ノズルが突設されている。そして、ポンプ付き光源装置３の凹部１９に送気管路あり内視鏡のコネクタ本体が挿入される場合には、ライトガイドファイバのガイド管が光源用ソケット２１に連結されると同時に送気受ノズルが光源装置３の内部の送気ポンプ用ソケット２０に連結されるようになっている。
【００３０】
また、ポンプ付き光源装置３に、本実施の形態のように送気管路なし内視鏡２を接続した状態で、光源装置３の送気ポンプを利用する場合には、内視鏡２のコネクタ部１０との間に介在される本実施の形態の内視鏡用アダプタ１が使用される。
【００３１】
図２は、本実施の形態の内視鏡用アダプタ１の外観を示す。本実施の形態の内視鏡用アダプタ１は、ポンプ付き光源装置３の凹部１９に挿入されるアダプタ本体２２を有する。図３に示すようにアダプタ本体２２の前面には、前記光源用ソケット２１を露出させる開口部２３と、前記送気ポンプ用ソケット２０に接続するためのポンプ接続部２４とが設けられている。ここで、ポンプ接続部２４は、光源装置３の凹部１９の中心線位置よりも下側に偏った状態で配置されている。開口部２３は、アダプタ本体２２の前面のポンプ接続部２４の上側に配置されている。
【００３２】
図６（Ａ）に示すようにアダプタ本体２２の外周面には、Ｃリング装着溝２５が形成されている。このＣリング装着溝２５には、Ｃリング２６が装着されている。Ｃリング２６は、Ｃリング装着溝２５よりも若干大径に形成されている。そして、光源装置３と内視鏡用アダプタ１との接続時には、光源装置３の凹部１９の内周面に形成されている溝部２７（図９、１０参照）とＣリング２６とが嵌合する事で、光源装置３と内視鏡用アダプタ１が係脱可能に係合可能となる。
【００３３】
Ｃリング２６の両端には、内部側に突出する凸部２６ａがそれぞれ形成されている。さらに、アダプタ本体２２のＣリング装着溝２５の両端には、凹部２５ａが設けられている。そして、Ｃリング２６の両端の凸部２６ａは、アダプタ本体２２のＣリング装着溝２５の両端の凹部２５ａにそれぞれ係合されるようになっている。これにより、Ｃリング２６の切り欠き部が大きく、Ｃリング２６をアダプタ本体２２のＣリング装着溝２５に組み付けた際に、Ｃリング２６が下側に落ち込んでしまう（Ｃリング２６がアダプタ本体２２のＣリング装着溝２５から外れ易くなる）ことを防止することができる。そのため、光源装置３と内視鏡用アダプタ１との着脱時にその着脱力量が重くなる、もしくは着脱不能となることを防止して光源装置３と内視鏡用アダプタ１との着脱性の向上を図ることができる。
【００３４】
また、内視鏡用アダプタ１とポンプ付き光源装置３との組み付け時には、光源用ソケット２１がアダプタ本体２２の開口部２３からアダプタ本体２２の外部に露出されるようにしている。これにより、ポンプ付き光源装置３に内視鏡用アダプタ１が装着された状態でも、内視鏡用アダプタ１は、送気管路なしの内視鏡２のコネクタ部１０と干渉しない形状となっている。そのため、ポンプ付き光源装置３に内視鏡用アダプタ１が装着された状態で、送気管路なしの内視鏡２のコネクタ部１０がポンプ付き光源装置３に組み付ける場合には、送気管路なしの内視鏡２のコネクタ部１０のライトガイドファイバのガイド管１７を内視鏡用アダプタ１の開口部２３からポンプ付き光源装置３の光源用ソケット２１に直接、接続させることができる。
【００３５】
ポンプ接続部２４は、図４に示すようにアダプタ本体２２の前面から前方に向けて突設された先細りの円錐形状のボス部２８と、このボス部２８に基端部が埋設された状態で固定された口金部２９とを有する。
【００３６】
口金部２９は、例えばステンレススチールなどの金属材料で形成されている。また、ボス部２８は、例えば樹脂材料でアダプタ本体２２と一体に成形されている。本実施の形態では、アダプタ本体２２の成形時に、口金部２９とアダプタ本体２２とがインサート成型によって一体に成形されるようになっている。一般に、口金部２９とアダプタ本体２２とは、別部品であるため、部品のばらつきや、組立のばらつきにより段差が生じやすい。これに対し、本実施の形態では、口金部２９とアダプタ本体２２とをインサート成型によって一体に成形することにより、口金部２９とアダプタ本体２２との接合部間の段差を無くし、リプロセスが可能な構造とすることができる。
【００３７】
また、内視鏡用アダプタ１には、アダプタ本体２２のポンプ接続部２４とは反対側に延出された送気口金３０と、着脱操作用の突出部３１とが設けられている。ここで、アダプタ本体２２には、ポンプ接続部２４の口金部２９と接続される送気管路３２が形成されている。送気口金３０の内端部は、この送気管路３２の端部に連結された状態で固定されている。この送気口金３０の外端部には、外付けの送気チューブ６が接続されている。
【００３８】
送気口金３０は、図４に示すように内視鏡２のコネクタ部１０の中心線Ｏと平行な基準線Ｏ１に対して下向きに配置されている。そして、内視鏡２のコネクタ部１０の中心線Ｏと平行な基準線Ｏ１と、送気口金３０の中心線Ｏ２との下向きのなす角度θ１は、ポンプ付き光源装置３に内視鏡用アダプタ１が装着された状態で、異物が送気口金３０に混入しないように、適宜の角度に設定されている。
【００３９】
さらに、送気口金３０は、図５に示すように内視鏡２のコネクタ部１０の中心線Ｏと平行な基準線Ｏ１と送気口金３０の中心線Ｏ２とのなす角度θ２が９０度未満に設定されている。θ２は、より好ましくは１０度超８０度未満であり、更に好ましくは３０度超５０度未満である。
【００４０】
ここで、θ２が０度（送気口金３０の中心線Ｏ２が内視鏡２のコネクタ部１０の中心線Ｏと平行状態）の場合、内視鏡２の操作中に、コネクタ部１０の送気口金３０から外付けの送気チューブ６が抜け易い。そのため、外付けの送気チューブ６の操作性を阻害しやすい。
【００４１】
また、θ２が９０度（送気口金３０の中心線Ｏ２が内視鏡２のコネクタ部１０の中心線Ｏと直交する状態）の場合、内視鏡２の操作中に、外付けの送気チューブ６が座屈しやすく、十分な送気量を確保できない。外付けの送気チューブ６を送気口金３０に着脱する際に光源装置３と干渉し、外付けの送気チューブ６を接続しにくい。
【００４２】
また、θ２が９０度超の場合、コネクタ部１０の送気口金３０と外付けの送気チューブ６との接続部分のチューブの曲げが大きいので、送気が妨げられ易い。これに対し、本実施の形態の通り、内視鏡２のコネクタ部１０の中心線Ｏと平行な基準線Ｏ１と送気口金３０の中心線Ｏ２とのなす角度θ２を９０度未満に設定することにより、上記の問題を解決することができる。
【００４３】
また、突出部３１は、内視鏡２のコネクタ部１０を光源用ソケット２１に差し込んだ時に、内視鏡２のコネクタ部１０の下方に沿って突出する状態で配置されている。
【００４４】
次に、上記構成の本実施の形態の内視鏡用アダプタ１を使用する内視鏡システムの作用について説明する。本実施の形態の内視鏡用アダプタ１は、図１に示すように送気管路なし内視鏡２とポンプ付き光源装置３とを組み合わせて用いる際に、ポンプ付き光源装置３の送気ポンプを利用して外付けの送気チューブを経て内視鏡２の内部管路である処置具挿通チャンネル１２に送気を行うシステムで使用される。
【００４５】
本実施の形態の内視鏡用アダプタ１は、ポンプ付き光源装置３に送気管路なし内視鏡２を接続する前にポンプ付き光源装置３に組み付けられる。このポンプ付き光源装置３に内視鏡用アダプタ１を組み付ける作業時には、ポンプ付き光源装置３の内視鏡コネクタ接続用の凹部１９に内視鏡用アダプタ１のアダプタ本体２２を挿入する。このとき、アダプタ本体２２のポンプ接続部２４の口金部２９が光源装置３の送気ポンプ用ソケット２０に挿入される。そして、光源装置３の凹部１９の内周面に形成されている溝部２７（図９、１０参照）にアダプタ本体２２のＣリング２６が嵌合する事で、光源装置３と内視鏡用アダプタ１が係脱可能に係合される。このとき、図１０に示すようにアダプタ本体２２のポンプ接続部２４の口金部２９が光源装置３の送気ポンプ用ソケット２０に接続される。
【００４６】
続いて、アダプタ本体２２の開口部２３から露出された光源装置３の光源用ソケット２１に内視鏡２のコネクタ部１０のライトガイドファイバのガイド管１７が挿入される状態で、着脱可能に接続される。これにより、光源装置３の内視鏡コネクタ接続用の凹部１９に内視鏡用アダプタ１が接続された状態でも、内視鏡用アダプタ１が接続されていない状態と同じように光源装置３の光源用ソケット２１と内視鏡２のコネクタ部１０とを直接接続できる。
【００４７】
その後、内視鏡用アダプタ１の送気口金３０に外付けの送気チューブ６の一端が接続される。外付けの送気チューブ６の他の一端は流体制御装置１５に接続される。流体制御装置１５には、さらに吸引チューブ１６の一端が連結される。
【００４８】
したがって、光源装置３に内蔵されている送気ポンプが送気ポンプ用ソケット２０に接続され、アダプタ本体２２の送気口金３０に接続される外付けの送気チューブ６が内視鏡２の挿入部７の内部の処置具挿通チャンネル１２に連結された操作部８の流体制御装置１５に接続される。これにより、光源装置３の送気ポンプ用ソケット２０からの送気がアダプタ本体２２の送気口金３０から外付けの送気チューブ６を経て内視鏡２の内部管路である処置具挿通チャンネル１２に供給される。そして、流体制御装置１５によって、内視鏡２の処置具挿通チャンネル１２を通しての吸引、送気が切換え制御される。
【００４９】
そこで、上記構成のものにあっては次の効果を奏する。すなわち、本実施の形態の内視鏡システムによれば、ポンプ付き光源装置３と送気管路なし内視鏡２とを組み合わせて用いる際に、光源装置３の送気ポンプからアダプタ本体２２の口金部２９と、送気管路３２と、送気口金３０とを経由して外付けの送気チューブ６に送気できるようにしている。これにより、外付けの送気チューブ６を介して送気管路なし内視鏡２の処置具挿通チャンネル１２に送気を行うことができる。そのため、送気管路なし内視鏡２をポンプ付き光源装置３に接続する場合でも光源装置３の送気ポンプを利用して送気できるので、従来のようにポンプ付き光源装置３とは別体の送気ポンプが不要となる。さらに、従来の内視鏡のようにユニバーサルコード内に送気管路がない送気管路なし内視鏡２を使用することができるので、使用後の内視鏡２の洗浄、消毒、滅菌時の負担を軽減できる。その結果、ユーザーに対してリプロセス時の負担、費用的な負担を軽減させることができる。
【００５０】
また、本実施の形態の内視鏡用アダプタ１は、光源装置３に着脱可能である。そして、内視鏡用アダプタ１が光源装置３に接続された状態において光源装置３の送気ポンプ用ソケット２０と内視鏡用アダプタ１との接続部分よりも外に送気口金３０を導出することができる。
【００５１】
アダプタ本体２２は、光源装置３との接続部に、Ｃ字状のリングの外周の切欠部に光源用ソケット２１を露出させる開口部２３が配置された光源装置接続部を備えている。そのため、光源装置３にアダプタ本体２２が接続されている状態でも、アダプタ本体２２が接続されていない場合と同じようにアダプタ本体２２の開口部２３に露出されている光源装置３の光源用ソケット２１に内視鏡２のコネクタ部１０を直接接続できる。
【００５２】
さらに、アダプタ本体２２の送気口金３０は、内視鏡２のコネクタ部１０の中心軸とのなす角度が９０度未満に設定されている。これにより、アダプタ本体２２の送気口金３０に外付けの送気チューブ６が接続された際に、アダプタ本体２２の送気口金３０に接続される外付けの送気チューブ６が邪魔になりにくい。そのため、操作中、アダプタ本体２２の送気口金３０から外付けの送気チューブ６が外れにくい。その結果、外付けの送気チューブ６の操作性を阻害せずに送気確保の確実性を向上することができる。
【００５３】
また、送気口金３０は、光源装置３とアダプタ本体２２とが接続された際に、水平方向と下向き方向との間の傾斜方向の角度θ１に設定されている。これにより、光源装置３とアダプタ本体２２とが接続状態で保管されても送気口金３０の開口端は、水平方向よりも下向き方向に向けた状態で保持されるので、送気口金３０の開口端に異物が混入するリスクを小さくすることができる。
【００５４】
さらに、アダプタ本体２２は、内視鏡２のコネクタ部１０を光源用ソケット２１に差し込んだ時に、内視鏡２のコネクタ部１０の下方に沿って突出する着脱操作用の突出部３１を備えている。そのため、アダプタ本体２２の突出部３１を把持した状態で内視鏡２のコネクタ部１０を光源用ソケット２１に抜き差しする作業を行うことができるので、アダプタ本体２２の着脱操作を行いやすくすることができる。
【００５５】
また、図１１は、第１の実施の形態の内視鏡用アダプタ１のポンプ接続部２４の口金部２９の変形例を示す。本変形例は、図１１に示すようにアダプタ本体２２のポンプ接続部２４の口金部２９の先端部分に外径寸法を小さくした小径部４１が形成されている。この小径部４１には、例えばシリコーンゴムなどの弾性材料で形成された筒状のカバー部材４２が接着剤による接着などで固定されている。
【００５６】
これにより、光源装置３の送気ポンプ用ソケット２０へアダプタ１の口金部２９を接続する際に、アダプタ１が傾けられて接続される場合には、口金部２９の先端のカバー部材４２の部分を送気ポンプ用ソケット２０のゴムに圧接させることができる。この場合には、口金部２９の先端のカバー部材４２の部分が弾性変形することによって送気ポンプ用ソケット２０のゴムの劣化を防止することができる。そのため、口金部２９の先端の金属面が送気ポンプ用ソケット２０のゴムに圧接される場合に比べて送気ポンプ用ソケット２０のゴムの劣化を効果的に防止することができる。
【００５７】
図１２は、本実施の形態の内視鏡システムで使用される内視鏡用アダプタ１を光源装置３に接続するクサリ５１の取り付け状態を示す。ここで、アダプタ本体２２には、図５、図７に示すように着脱操作用の突出部３１の一部に孔５２を空けている。その孔５２には、滅菌により劣化する事の無い素材で作られたクサリ５１の一端部が接続されている。このクサリ５１の他端部は、光源装置３等に取り付けられた吸盤５３のフック５４等に簡単に取り付けられている。
【００５８】
そこで、上記構成のものにあっては次の効果を奏する。すなわち、アダプタ本体２２の突出部３１の孔５２にクサリ５１の一端部が接続され、このクサリ５１の他端部は、光源装置３等に取り付けられた吸盤５３のフック５４等に取り付けている。これにより、光源装置３から内視鏡用アダプタ１が取り外された場合でも、内視鏡用アダプタ１が紛失されることがない。さらに、クサリ５１の他端部は、光源装置３等に取り付けられた吸盤５３のフック５４等に取り付けているので、滅菌等で光源装置３からクサリ５１の取り外しが必要な場合は容易に取り外しが可能となる。
【００５９】
また、図１３は、第１の実施の形態の内視鏡システムで使用されるチューブ固定バンド６１を示す。チューブ固定バンド６１は、例えばシリコーンゴムなどの弾性材料でバンド本体６１ａが形成されている。なお、チューブ固定バンド６１は、薬液等による劣化を防ぐため、耐薬性の強い素材を使用することが好ましい。バンド本体６１ａは、内視鏡取り付け部６２と、チューブ保持部６３とを有している。内視鏡取り付け部６２と、チューブ保持部６３との間には、接続孔部６４が配設されている。
【００６０】
内視鏡取り付け部６２の先端部には、接続孔部６４に挿脱可能に挿入されて係脱可能に係止される係止部６５が配設されている。係止部６５は、例えば円錐形状の先細り部６５ａの先端に球状部６５ｂが形成されている。なお、係止部６５は、ラグビーボール形状にしてもよい。内視鏡取り付け部６２には、係止部６５と接続孔部６４との間に、複数の点接触用の突起部６６が形成されている。そして、図１４に示すように内視鏡取り付け部６２は、内視鏡２のユニバーサルコード９に巻きつけられ、先端の係止部６５を接続孔部６４に通すことでチューブ固定バンド６１は内視鏡２に固定される。
【００６１】
チューブ保持部６３には、複数、本実施の形態では４つの係止孔６７と、１つの係止ピン６８とが設けられている。係止ピン６８は、チューブ保持部６３の先端に配置され、バンド本体６１ａの板面と直交する方向に突設されている。そして、チューブ保持部６３は、内視鏡システムに接続されている結束対象の外付けのチューブ６，１６に巻きつけ、チューブ保持部６３に設けられた係止孔６７を係止部６５に通すことで内視鏡２と外付けのチューブ６，１６が固定される。このとき、結束対象の外付けのチューブ６，１６の外径に合わせて使用する係止孔６７が選択される。そして、選択された係止孔６７を係止部６５に通すことにより、チューブ保持部６３の長さが調節可能となっている。
【００６２】
また、係止ピン６８は、必要に応じてチューブ固定バンド６１の４つの係止孔６７のいずれか１つに通せる構造としている。例えば、外径の小さいチューブをチューブ固定バンド６１で内視鏡２に固定した場合、チューブ固定バンド６１のチューブ保持部６３の余り部分を丸めて係止ピン６８を未使用の残りの係止孔６７のいずれか１つに通して係止させることができる。これにより、外径の小さいチューブをチューブ固定バンド６１で内視鏡２に固定した場合、チューブ固定バンド６１のチューブ保持部６３の余り部分が使用上邪魔になることを防止することができ、チューブ固定バンド６１の余り部分が、邪魔にならない構造とすることができる効果がある。
【００６３】
図１４は、図１３のチューブ固定バンド６１の使用状態を示す。チューブ固定バンド６１の使用時には、図１４に示すように内視鏡取り付け部６２は、内視鏡２のユニバーサルコード９に巻きつけられ、先端の係止部６５を接続孔部６４に通すことでチューブ固定バンド６１は内視鏡２に固定される。このとき、係止部６５の先細り部６５ａを円錐形状にしたことにより、係止部６５が接続孔部６４に通しやすく、かつ外れにくい。
【００６４】
また、内視鏡取り付け部６２がユニバーサルコード９に巻きつけられた際に、突起部６６がユニバーサルコード９と接触することにより、内視鏡取り付け部６２とユニバーサルコード９との接触面積を小さくするようにしている。これにより、内視鏡２のユニバーサルコード９にチューブ固定バンド６１を取り付けたまま、リプロセスが可能な構造とすることができる。ここで、内視鏡取り付け部６２とユニバーサルコード９との接触面積が大きい場合には、内視鏡２にチューブ固定バンド６１を取り付けたままリプロセスを行うと十分なリプロセス効果が得られない可能性がある。また、内視鏡２をリプロセスする度にチューブ固定バンド６１を外すと紛失の可能性がある。これに対し、本実施の形態では、内視鏡取り付け部６２の突起部６６がユニバーサルコード９と接触することにより、内視鏡取り付け部６２とユニバーサルコード９との接触面積を小さくしたことにより、内視鏡２にチューブ固定バンド６１を取り付けたままリプロセスを行った場合でも十分なリプロセス効果が得られる。したがって、チューブ固定バンド６１の紛失防止、及びリプロセスの単純化などの効果がある。
【００６５】
そこで、上記構成のものにあっては次の効果を奏する。すなわち、チューブ固定バンド６１の使用時には、内視鏡取り付け部６２を内視鏡２のユニバーサルコード９に巻きつけ、先端の係止部６５を接続孔部６４に通すことでチューブ固定バンド６１が内視鏡２に固定される。続いて、チューブ保持部６３を内視鏡システムに接続されている結束対象の外付けのチューブ６，１６に巻きつけ、チューブ保持部６３の係止孔６７を係止部６５に通すことで内視鏡２と外付けのチューブ６，１６が固定される。これにより、外付けのチューブ６，１６と内視鏡２を任意の位置で固定することができる。ここで、送気、吸引するために使用する内視鏡２の外付けのチューブ６，１６は、一般的には、内視鏡２とは固定されておらず、使用中の取り回しが悪い。これに対し、本実施の形態では、内視鏡２の使用中に内視鏡２と外付けのチューブ６，１６とがチューブ固定バンド６１で固定することができるので、使用中に外付けのチューブ６，１６が邪魔にならない効果がある。
【００６６】
さらに、本発明は上記実施の形態に限定されるものではなく、本発明の要旨を逸脱しない範囲で種々変形実施できることは勿論である。  
次に、本出願の他の特徴的な技術事項を下記の通り付記する。  
記  
（付記項１）  送気ポンプ用ソケットおよび光源用ソケットが凹内部に配置された凹部を有する光源装置と、内視鏡のコネクタ部と、の間に介在するアダプタであって、前記凹部に挿入される本体部と、前記光源装置に接続された際に、前記光源装置の光源用ソケットを露出するよう前記本体部に設けられた開口部と、前記本体部の一方の面に配置され前記送気ポンプ用ソケットに接続するためのポンプ接続部と、前記ポンプ接続部と連通しており、前記本体部の他方の面に配置され前記内視鏡のコネクタ部の軸に対して９０度未満の角度をなす送気口金と、を備えることを特徴とする内視鏡用アダプタ。
【００６７】
（付記項２）  前記光源装置と接続された際に、前記送気口金は水平方向を向いているか、または下を向いていることを特徴とする付記項１に記載の内視鏡用アダプタ。
【００６８】
（付記項３）  前記本体部は、前記内視鏡を前記光源装置の光源用ソケットに差し込んだ時に、前記内視鏡の下方に沿って突出する突出部を備えることを特徴とする付記項１または２に記載の内視鏡用アダプタ。
【００６９】
（付記項４）  前記本体部は、前記光源装置と接続され、Ｃ字状のリングの外周の一部に前記開口部が配置された光源装置接続部を備えることを特徴とする付記項１〜３のいずれかに記載の内視鏡用アダプタ。
【産業上の利用可能性】
【００７０】
本発明は、送気管路の無い内視鏡と送気ポンプ付き光源装置とを組み合わせて用いる際に使用される内視鏡用アダプタと、その内視鏡用アダプタを使用する内視鏡システムの技術分野に有効である。
【符号の説明】
【００７１】
２…内視鏡、３…ポンプ付き光源装置、６…外付けの送気チューブ（外部チューブ）、１０…コネクタ部、１９…凹部、２０…送気ポンプ用ソケット、２１…光源用ソケット、２２…アダプタ本体、２３…開口部、２４…ポンプ接続部、３０…送気口金。
【図１】
2011024682.tif 000003
【図２】
2011024682.tif 000004
【図３】
2011024682.tif 000005
【図４】
2011024682.tif 000006
【図５】
2011024682.tif 000007
【図６】
2011024682.tif 000008
【図７】
2011024682.tif 000009
【図８】
2011024682.tif 000010
【図９】
2011024682.tif 000011
【図１０】
2011024682.tif 000012
【図１１】
2011024682.tif 000013
【図１２】
2011024682.tif 000014
【図１３】
2011024682.tif 000015
【図１４】
2011024682.tif 000016